(57)【要約】【課題】本発明の課題は、法令順守を行いつつ装置が本来有している秤機能を有効に活用することができるラベル発行装置を提供することにある。【解決手段】本発明に係るラベル発行装置１００では、計量部１０２における商品の計量値の情報が情報表示部３に表示される。そして、情報記憶部１１において商品が定額ラベル５の発行対象に設定されている場合において、計量部における商品の計量値が閾値以上となったときに情報表示制御部７が情報表示部における商品の計量値の情報を非表示にする。そして、情報表示部における計量値の情報を情報表示制御部が非表示にした以降に、ラベル発行制御部がラベル発行部４に対して定額ラベルの発行を開始させる。【選択図】図６
2010260608.tif 000002
【特許請求の範囲】
【請求項１】
商品に関する所定の情報が印字されたラベルを発行するラベル発行装置であって、
前記商品を計量する計量部と、
前記計量部における前記商品の計量値の情報を表示する情報表示部と、
前記ラベルを発行するラベル発行部と、
前記計量値に対して設定される閾値の情報、および前記商品が定額ラベルの発行対象か否かの設定の情報を記憶する情報記憶部と、
前記情報記憶部において前記商品が前記定額ラベルの発行対象に設定されており、かつ、前記計量部における前記商品の前記計量値が前記閾値以上となった場合に、前記情報表示部における前記計量値の情報を非表示にする情報表示制御部と、
前記情報表示制御部が前記情報表示部における前記計量値の情報を非表示にした以降に、前記ラベル発行部に対して前記定額ラベルの発行を開始させるラベル発行制御部と
を備えるラベル発行装置。
【請求項２】
前記ラベル発行部において発行される前記ラベルを排出するラベル排出部と、
前記ラベル排出部において前記ラベルを検出するラベル検出部と
をさらに備え、
前記情報表示制御部は、前記ラベル検出部により前記ラベルが検出されなくなると、前記情報表示部に前記計量値の情報を表示する
請求項１に記載のラベル発行装置。
【請求項３】
前記情報表示制御部が前記情報表示部における前記計量値の情報を非表示にした以降に、前記情報表示部に操作ボタンを表示する操作ボタン表示部をさらに備え、
前記ラベル発行制御部は、前記操作ボタンが押されると、前記ラベル発行部に対して前記定額ラベルの発行を開始させる
請求項１または２に記載のラベル発行装置。
【請求項４】
前記情報表示部は、前記計量値の情報を表示する計量値情報表示画面と、前記計量値の情報を非表示にする計量値情報非表示画面とを択一的に表示可能であり、
前記情報表示制御部は、前記情報記憶部において前記商品が前記定額ラベルの発行対象に設定されており、かつ、前記計量部における前記計量値が前記閾値以上となった場合に、前記計量値情報表示画面を非表示とし、前記計量値情報非表示画面を表示する
請求項１から３のいずれかに記載のラベル発行装置。
【請求項５】
前記計量部は、前記情報表示部へ前記計量値の情報を送信しており、
前記情報表示制御部は、前記情報記憶部において前記商品が前記定額ラベルの発行対象に設定されており、かつ、前記計量部における前記計量値が前記閾値以上となった場合に、前記計量部から前記情報表示部への前記計量値の情報の送信を遮断する
請求項１から４のいずれかに記載のラベル発行装置。
【請求項６】
前記計量部の零点を調整する零点調整機能と、
前記零点調整機能により前記計量部の零点の調整が完了した場合に、前記情報表示制御部へ零点調整完了信号を送信する零点調整完了信号送信部と
をさらに備え、
前記情報表示制御部は、前記情報記憶部において前記商品が前記定額ラベルの発行対象に設定されており、かつ、前記計量部における前記計量値が前記閾値以上となり、かつ、前記零点調整完了信号が受信された場合に、前記情報表示部における前記計量値の情報を非表示にする
請求項１から５のいずれかに記載のラベル発行装置。
【発明の詳細な説明】
【技術分野】
【０００１】
本発明は、ラベル発行装置、特に定額ラベル発行機能を有するラベル発行装置に関する。
【背景技術】
【０００２】
従前から、商品販売において、商品の計量値にかかわらずその価格を一定にしてその商品を販売する形態が存在する。このような商品販売形態において、ラベル発行装置により定額ラベルを発行するとき、情報表示画面にその商品の実際の重量や、零点、風袋引き量などを表示することが計量法によって禁じられている。このような規制に起因して、例えば、特開昭６２−１８４３１７号公報には「電子秤において、定額ラベル発行設定がなされている場合、計量値およびその計量値の説明表示をともに非表示にする」との技術が提案されている。
【発明の概要】
【発明が解決しようとする課題】
【０００３】
しかし、特開昭６２−１８４３１７号公報に記載の技術では、定額ラベル発行設定がなされている場合、電子秤の秤機能を利用することができない。このため、この電子秤では、定額ラベル発行設定がなされている場合、適切な内容量の商品を製造するためには別の秤などを用意する必要があり、電子秤本来の機能が有効に活用されていなかった。
本発明の課題は、法令順守を行いつつ装置が本来有している秤機能を有効に活用することができるラベル発行装置を提供することにある。
【課題を解決するための手段】
【０００４】
第１発明に係るラベル発行装置は、商品に関する所定の情報が印字されたラベルを発行するラベル発行装置であって、計量部、情報表示部、ラベル発行部、情報記憶部、情報表示制御部およびラベル発行制御部を備える。計量部は、商品を計量する。情報表示部は、計量部における商品の計量値の情報を表示する。ラベル発行部は、ラベルを発行する。情報記憶部には、計量値に対して設定される閾値の情報、および商品が定額ラベルの発行対象か否かの設定の情報が記憶される。情報表示制御部は、情報記憶部において商品が定額ラベルの発行対象に設定されている場合、計量部における商品の計量値が閾値未満であるときに情報表示部に計量値の情報を表示し、計量部における商品の計量値が閾値以上となったときに、情報表示部における商品の計量値の情報を非表示にする。なお、「計量部における商品の計量値が閾値以上となったとき」との概念には、「計量値が第１閾値以上第２閾値以下、つまり計量値が所定の重量範囲に入ったとき」との概念が含まれる。また、ここにいう「情報を非表示にする」とは、計量値の情報を表示しない（ブランクにする）ことや、計量値の情報が表示されないように計量値の情報の代わりに識別性のない他の情報を表示すること等を意味する。ラベル発行制御部は、情報表示部における計量値の情報を情報表示制御部が非表示にした以降に、ラベル発行部に対して定額ラベルの発行を開始させる。なお、ここでは「非表示にした以降」との表現が用いられているが、この表現は「非表示にしたと同時に」と解することも可能であるし、「非表示にした後」と解釈することも可能である。
【０００５】
このため、このラベル発行装置では、定額ラベル発行設定がなされている場合であっても計量部の計量機能を利用することができる。したがって、このラベル発行装置では、法令順守を行いつつ装置が本来有している秤機能を有効に活用することができる。
【０００６】
第２発明に係るラベル発行装置は、第１発明に係るラベル発行装置であって、ラベル排出部およびラベル検出部をさらに備える。ラベル排出部は、ラベル発行部において発行されるラベルを排出する。ラベル検出部は、ラベル排出部においてラベルを検出する。そして、情報表示制御部は、ラベル検出部によりラベルが検出されなくなると、情報表示部に計量値の情報を表示する。
【０００７】
このため、このラベル発行装置では、ラベル排出部からラベルが完全に排出されると自動的に情報表示部に計量値の情報が表示される。したがって、このラベル発行装置では、ラベル発行後、情報表示部に計量値を表示させる手間を省くことができ、効率よく商品の計量およびラベルの発行を行うことができる。
【０００８】
第３発明に係るラベル発行装置は、第１発明または第２発明に係るラベル発行装置であって、操作ボタン表示部をさらに備える。操作ボタン表示部は、情報表示制御部が情報表示部における計量値の情報を非表示にした以降に、情報表示部に操作ボタンを表示する。そして、ラベル発行制御部は、操作ボタンが押されると、ラベル発行部に対して定額ラベルの発行を開始させる。
このため、このラベル発行装置では、ユーザが定額ラベルを所望のタイミングで発行することができる。
【０００９】
第４発明に係るラベル発行装置は、第１発明から第３発明のいずれかに係るラベル発行装置であって、情報表示部は、計量値情報表示画面および計量値情報非表示画面を択一的に表示可能である。なお、ここにいう「計量値情報表示画面」とは計量値の情報を表示する画面であり、ここにいう「計量値情報非表示画面」とは計量値の情報を非表示にする画面である。そして、情報表示制御部は、情報記憶部において商品が定額ラベルの発行対象に設定されており、かつ、計量部における計量値が閾値以上となった場合に、計量値情報表示画面を非表示とし、計量値情報非表示画面を表示する。
【００１０】
このため、このラベル発行装置では、計量値情報表示画面には計量に適した情報を表示し、計量値情報非表示画面には定額ラベルに適した情報を表示することができる。したがって、このラベル発行装置では、ユーザの計量作業および定額ラベル発行作業の効率の向上を期待することができる。
【００１１】
第５発明に係るラベル発行装置は、第１発明から第４発明のいずれかに係るラベル発行装置であって、計量部は、情報表示部へ計量値の情報を送信している。また、情報表示制御部は、情報記憶部において商品が定額ラベルの発行対象に設定されており、かつ、計量部における計量値が閾値以上となった場合に、計量部から情報表示部への計量値の情報の送信を遮断する。なお、「計量部から情報表示部への計量値の情報の送信」は間接的であってもよいし直接的であってもよい。
このため、このラベル発行装置では、簡易に本発明の課題を解決することができる。
【００１２】
第６発明に係るラベル発行装置は、第１発明から第５発明のいずれかに係るラベル発行装置であって、零点調整機能および零点調整完了信号送信部をさらに備える。零点調整機能では、計量部の零点が調整される。零点調整完了信号送信部は、零点調整機能により計量部の零点の調整が完了した場合に、情報表示制御部へ零点調整完了信号を送信する。なお、「情報表示制御部への零点調整完了信号の送信」は、間接的であってもよいし、直接的であってもよい。そして、情報表示制御部は、情報記憶部において商品が定額ラベルの発行対象に設定されており、かつ、計量部における計量値が閾値以上となり、かつ、零点調整完了信号が受信された場合に、情報表示部における計量値の情報を非表示にする。
【００１３】
このため、このラベル発行装置では、情報記憶部において商品が定額ラベルの発行対象に設定されている場合において、計量部における計量値が閾値以上となっているときであっても、零点調整が完了していないと、定額ラベルを発行することができない。つまり、このラベル発行装置では、定額ラベルを発行するためには、商品の計量毎に零点調整を行う必要がある。したがって、このラベル発行装置では、正確な秤量を行うことができる。
【図面の簡単な説明】
【００１４】
【図１】本発明に係るラベル発行装置の全体斜視図である。
【図２】本発明に係るラベル発行装置の機能ブロック図である。
【図３】本発明の第１実施形態に係るラベル発行装置の情報表示部に表示される初期画面の図である。
【図４】本発明の第１実施形態に係るラベル発行装置の情報表示部に表示される定額商品内容量チェック画面において風袋引きが完了したときの状態を示す図である。
【図５】本発明の第１実施形態に係るラベル発行装置の情報表示部に表示される定額商品内容量チェック画面において計量がなされているときの状態を示す図である。
【図６】本発明の第１実施形態に係るラベル発行装置の情報表示部に表示される定額商品内容量チェック画面において重量情報および単位情報が非表示にされている状態を示す図である。
【図７】本発明の第２実施形態に係るラベル発行装置の情報表示部に表示される定額商品内容量チェック画面において風袋引きが完了したときの状態を示す図である。
【図８】本発明の第２実施形態に係るラベル発行装置の情報表示部に表示される定額商品内容量チェック画面において計量がなされているときの状態を示す図である。
【図９】本発明の第２実施形態に係るラベル発行装置の情報表示部に表示される定額商品画面の図である。
【図１０】本発明の第１実施形態の変形例（Ｉ）に係るラベル発行装置の情報表示部に表示される定額商品内容量チェック画面において風袋引きが完了したときの状態を示す図である。
【図１１】本発明の第１実施形態の変形例（Ｉ）に係るラベル発行装置の情報表示部に表示される定額商品内容量チェック画面において計量がなされているときの状態を示す図である。
【図１２】本発明の第１実施形態の変形例（Ｉ）に係るラベル発行装置の情報表示部に表示される定額商品内容量チェック画面において重量情報および単位情報が非表示にされている状態を示す図である。
【発明を実施するための形態】
【００１５】
−第１実施形態−
【００１６】
本発明の第１実施形態に係るラベル発行装置１００は、図１に示されるように、主に、ラベル作成装置１０１および計量装置１０２から構成されている。以下に、ラベル作成装置１０１および計量装置１０２の構成についてそれぞれ詳述する。
＜ラベル作成装置の構成＞
【００１７】
ラベル作成装置１０１は、図１に示されるように、主に、本体１、操作部２および情報表示部３から構成されている。以下に、ラベル作成装置１０１の各構成について詳述する。
（１）本体
【００１８】
本体１は、図１および図２に示されるように、主に、印字機構部４、計時部６および制御部７から構成されている。そして、この本体１は、図２に示されるように、操作部２、情報表示部３および計量装置１０２に通信接続されている。
【００１９】
印字機構部４は、制御部７のＲＯＭ１１（後述）に格納されている印字処理プログラムに従って、ラベル基材に対して商品に関する所定の情報を印字してラベル５（図１参照）を作成する。また、この印字機構部４には、ラベル排出部（図示せず）およびラベル検出部（図示せず）が組み込まれている。ラベル検出部は、ラベル排出部の出口付近に配置されており、ラベル５が印字機構部４から完全に排出されたか否かを検出する。なお、ラベル検出部は例えば赤外線センサなどである。
計時部６は、例えば、デジタル時計であり、情報表示部３に日付情報や時刻情報を出力する。
【００２０】
制御部７は、図２に示されるように、主に、ＣＰＵ１０、ＲＯＭ１１およびＲＡＭ１２から構成されている。ＣＰＵ１０は、ＲＯＭ１１やＲＡＭ１２などを制御すると共に、ＲＯＭ１１に格納されているプログラムに従って動作することにより各種データの演算を行う。例えば、このＣＰＵ１０は、操作部２や情報表示部３から入力されるデータ、計量装置１０２から入力される計測値データなどの各種データを処理したり、印字機構部４の印字動作を制御したり、種々の画面や情報を情報表示部３に出力したり、各種ファイルの内容の設定を行ったり、印字データを作成したりする。また、ＲＯＭ１１には、入力処理プログラムや、印字処理プログラム、表示処理プログラム、設定処理プログラム、印字データ作成処理プログラムなどの各種プログラムが格納されると共に、商品に固有の商品識別情報である呼出番号情報、商品コード情報、商品名情報、販売形態情報、単価情報、風袋重量情報、消費限界日数情報（加工日から消費すべき日までの日数および時間の情報）、食べ頃日数情報（加工日からその商品が食べ頃となるまでの日数および時間の情報）、産地名情報、原材料情報、商品分類情報、商品が定額商品か否かの設定情報などの情報が関連付けられて記憶されている。また、ＲＡＭ１２は、ＲＯＭ１１よりも読み出し速度が高速な記憶媒体であって、ＲＯＭ１１に格納されるプログラムやデータなどを一時的に記憶してＣＰＵ１０に提供する。
（２）操作部
【００２１】
操作部２は、複数のキーやスイッチなどから構成されている。操作者は、このキーやスイッチなどを操作することにより本体１に対して各種情報を入力し、本体各部の設定や制御を行うことができる。
（３）情報表示部
【００２２】
情報表示部３は、タッチ操作可能なディスプレイであって、制御部７からの命令に従って各種画面、各種情報を表示する。操作者は、この情報表示部３に表示される画面の所定位置に触れることによって所定の情報を本体１に入力することができる。
＜計量装置の構成＞
【００２３】
計量装置１０２は、ロードセルのような重量検出器１０３を備えており、商品が風袋と共に秤量皿上に置かれると、風袋込みの商品の重量を計量する。なお、計量装置１０２により商品の重量が計量されると、その計量値がインターフィース（図示せず）などを介して本体１へ送信される。また、この計量装置１０２は零点調整されるのが好ましいが、計量装置１０２の零点調整は必ずしも必要ではない。
以上、本発明の第１実施形態に係るラベル発行装置１００の構成について説明した。次に、このラベル発行装置１００の機能について説明する。
＜ラベル発行装置の機能＞
【００２４】
このラベル発行装置１００は、通常ラベル発行機能および定額ラベル発行機能などを備えている。通常ラベル発行機能は、情報表示部３が表示する画面上において商品名や、その計量値、単価、値段などの情報を表示しつつ印字機構部４によりこれらの情報をラベル基材に印字してラベル５を発行する機能である。一方、定額ラベル発行機能は、計量装置１０２により商品の重量を計量した後に、情報表示部３が表示する画面上において商品の計量値など、計量法で禁じられている情報を非表示にしつつ印字機構部４により商品名やその値段などの情報をラベル基材に印字してラベル５を発行する機能である。
以下、本ラベル発行装置１００の定額ラベル発行機能について詳述する。
（定額ラベル発行機能）
ラベル発行装置１００が起動されると、まず、図３に示されるような初期画面３ａが情報表示部３に表示される。
【００２５】
初期画面３ａは、図３に示されるように、主に、日時情報表示領域３０や、呼出番号情報表示領域３１、メイン情報表示領域３２、風袋重量情報表示領域３３、重量情報表示領域３４、１００ｇ当たり単価情報表示領域３５、値段情報表示領域３６、加工日時情報表示領域３７、消費期限日時情報表示領域３８、食べ頃日時情報表示領域３９、ラベルマスタ表示領域４０などから構成されている。なお、日時情報表示領域３０には、現在の日時の情報が表示される。呼出番号情報表示領域３１には、呼出番号の情報が表示される。なお、この呼出番号情報表示領域３１は、操作者に触れられることによって、呼出番号の入力を受け付ける入力受付状態となる。メイン情報表示領域３２には、メッセージ情報や、呼出番号に対応する商品名の情報などが表示される。風袋重量情報表示領域３３には、呼出番号に対応する商品に用いられる風袋の重量の情報が表示される。重量情報表示領域３４には、重量検出器１０３から送信される計量値の情報が表示される。なお、この重量情報表示領域３４では、零点がある一定範囲内に入ると、重量の表示の左横に「ゼロ」という文字情報が表示される。１００ｇ当たり単価情報表示領域３５には、呼出番号に対応する商品の１００ｇ当たり単価の情報が表示される。値段情報表示領域３６には、呼出番号に対応する商品の値段の情報が表示される。なお、呼出番号に対応する商品が定額商品に設定される場合、この値段情報表示領域３６には、定金額、つまり重量に依存しない一定の額の情報が表示される。加工日時情報表示領域３７には、商品の加工日時の情報が表示される。消費期限日時情報表示領域３８には、呼出番号に対応する商品の消費期限日時の情報が表示される。食べ頃日時情報表示領域３９には、呼出番号に対応する商品の食べ頃日時の情報が表示される。なお、本ラベル発行装置１００において、消費期限日時や食べ頃日時は加工日時を起算点として自動計算される。つまり、このラベル発行装置１００では、呼出番号が入力されると、その呼出番号に関連付けられた消費限界日数情報や食べ頃日数情報がＲＯＭ１１から読み出され、加工日時に消費限界日数や食べ頃日数が加算され、消費期限日時や食べ頃日時が自動的に算出される仕組みとなっている。なお、この仕組みは通常ラベル発行機能においても実行される。ラベルマスタ表示領域４０には、ラベルマスタの情報が表示される。
【００２６】
次いで、操作者がこの初期画面３ａにおいて計量対象となる商品に対応する呼出番号を呼出番号情報表示領域３１に入力する。この際、その呼出番号に対応する商品が定額商品として設定されていると、図４に示されるような定額商品内容量チェック画面３ｂが情報表示部３に自動的に表示される。なお、呼出番号に対応する商品が定額商品に設定されていない場合、情報表示部３に定額商品内容量チェック画面３ｂは表示されず、通常ラベル作成画面（図示せず）が表示される。
【００２７】
定額商品内容量チェック画面３ｂは、図４に示されるように、主に、日時情報表示領域３０や、呼出番号情報表示領域３１、メイン情報表示領域３２、風袋重量情報表示領域３３、重量情報表示領域３４、１００ｇ当たり単価情報表示領域３５、値段情報表示領域３６、加工日時情報表示領域３７、消費期限日時表示領域３８、食べ頃日時情報表示領域３９、ラベルマスタ表示領域４０、下限重量情報表示領域４１、上限重量情報表示領域４２、定重量情報表示領域４３などから構成されている。下限重量情報表示領域４１には、呼出番号に対応する商品の下限重量の情報が表示される。上限重量情報表示領域４２には、呼出番号に対応する商品の上限重量の情報が表示される。定重量情報表示領域４３には、ラベル基材に印字する定重量値の情報が表示される。なお、この定額商品内容量チェック画面３ｂでは、呼出番号に対応する商品の商品名の情報がメイン情報表示領域３２に表示される。また、この定額商品内容量チェック作成画面３ｂでは、呼出番号情報が入力されると、その呼出番号情報に対応する風袋重量情報が風袋重量情報表示領域３３に表示され、負の符号が付けられた風袋重量の情報が重量情報表示領域３４に表示される。
【００２８】
そして、操作者が、重量情報表示領域３４の「ゼロ」表示により計量装置１０２がゼロ点にあることを確認した後、容器（風袋）などを計量装置１０２の秤量皿（図示せず）に乗せ、重量情報表示領域３４に表示される重量が下限重量以上、上限重量以下となるように容器などに商品を詰めていく（図５参照）。
【００２９】
そして、その重量が下限重量以上、上限重量以下となってから所定時間（たとえば３秒など）を経過すると、定額商品内容量チェック画面３ｂにおいてその重量情報および１００ｇ当たり単価情報が単位情報と共に非表示となる（図６参照）。
【００３０】
そして、定額商品内容量チェック画面３ｂにおいて、その重量情報、１００ｇ当たり単価情報および単位情報が非表示とされてから所定時間（たとえば、１秒）を経過すると、印字機構部４が動作し、ラベル５を自動発行する。
【００３１】
なお、操作者によってラベル５が引き抜かれると、ラベル検知部がラベルの不存在を検知し、その検知信号を制御部７に送信する。そして、制御部７がその検知信号を受信すると、制御部７は、情報表示部３に対して重量情報表示領域３４、１００ｇ当たり単価情報表示領域３５に重量情報、１００ｇ当たり単価情報および単位情報を表示させる。
＜ラベル発行装置の特徴＞
（１）
【００３２】
本発明の第１実施形態に係るラベル発行装置１００では、計量装置１０２における計量値が下限重量以上、上限重量以下になってから所定時間経過後に定額商品内容量チェック画面３ｂにおいてその重量情報および１００ｇ当たり単価情報が単位情報と共に非表示となる。そして、定額商品内容量チェック画面３ｂにおいて、その重量情報、１００ｇ当たり単価情報および単位情報が非表示とされてから所定時間を経過すると、印字機構部４が動作し、ラベル５を自動発行する。このため、このラベル発行装置１００では、定額ラベル発行設定がなされている場合であっても計量装置１０２の計量機能を利用することができる。したがって、このラベル発行装置１００では、法令順守を行いつつ装置が本来有している秤機能を有効に活用することができる。
（２）
【００３３】
本発明の第１実施形態に係るラベル発行装置１００では、操作者によってラベル５が引き抜かれると、ラベル検知部がラベルの不存在を検知し、その検知信号を制御部７に送信する。そして、制御部７がその検知信号を受信すると、制御部７は、情報表示部３に対して重量情報表示領域３４、１００ｇ当たり単価情報表示領域３５に重量情報、１００ｇ当たり単価情報および単位情報を表示させる。このため、このラベル発行装置１００では、ラベル発行後、情報表示部３に計量値を表示させる手間を省くことができ、効率よく商品の計量およびラベル５の発行を行うことができる。
＜変形例＞
（Ａ）
【００３４】
先の実施形態に係るラベル発行装置１００ではラベル検知部から送信される検知信号を制御部７が受信すると、制御部７が情報表示部３に対して重量情報表示領域３４、１００ｇ当たり単価情報表示領域３５に重量情報、１００ｇ当たり単価情報および単位情報を表示させたが、計量装置１０２の計量値が風袋重量と同一になった場合に、制御部７が情報表示部３に対して重量情報表示領域３４、１００ｇ当たり単価情報表示領域３５に重量情報、１００ｇ当たり単価情報および単位情報を表示させるようにしてもよい。
（Ｂ）
【００３５】
先の実施形態に係るラベル発行装置１００では定額商品内容量チェック画面３ｂにおいて重量情報、１００ｇ当たり単価情報および単位情報が非表示とされてから所定時間経過後に印字機構部４が動作しラベル５が自動発行されたが、定額商品内容量チェック画面３ｂにおいて重量情報、１００ｇ当たり単価情報および単位情報が非表示されると同時に印字機構部４が動作しラベル５が自動発行されるようにしてもよい。
（Ｃ）
【００３６】
先の実施形態に係るラベル発行装置１００では計量装置１０２における計量値が下限重量以上、上限重量以下になってから所定時間経過後に定額商品内容量チェック画面３ｂにおいてその重量情報および１００ｇ当たり単価情報が単位情報と共に非表示とされたが、計量装置１０２における計量値が下限重量以上、上限重量以下になってから所定時間経過後に計量装置１０２から送信される計量信号を制御部７が遮断することにより、定額商品内容量チェック画面３ｂにおける重量情報を非表示とするようにしてもよい。なお、かかる場合、１００ｇ当たり単価情報はあらかじめ非表示にしておけばよい。このようにすれば、定額商品内容量チェック画面３ｂにおける重量情報を簡易に非表示とすることができる。
（Ｄ）
【００３７】
先の実施形態に係るラベル発行装置１００では計量装置１０２における計量値が下限重量以上、上限重量以下になってから所定時間経過後に定額商品内容量チェック画面３ｂにおいてその重量情報および１００ｇ当たり単価情報が単位情報と共に非表示とされたが、計量装置１０２における計量値が下限重量以上、上限重量以下になってから所定時間経過後に重量情報が表示されないように重量情報の代わりに識別性のない他の情報を表示するようにしてもかまわない。
（Ｅ）
【００３８】
先の実施形態に係るラベル発行装置１００では定額商品内容量チェック画面３ｂにおいて重量情報、１００ｇ当たり単価情報および単位情報が非表示とされてから所定時間経過後に印字機構部４が動作しラベル５が自動発行されたが、定額商品内容量チェック画面３ｂにおいて重量情報、１００ｇ当たり単価情報および単位情報が非表示とされてから所定時間経過後に定額商品内容量チェック画面３ｂに印字開始ボタン（図示せず）が表示され、その印字開始ボタンが操作者により押されると、印字機構部４が動作しラベル５が発行されるようにしてもよい。このようにすれば、操作者は、ラベル５を所望のタイミングで発行することができる。
（Ｆ）
【００３９】
先の実施形態では特に言及しなかったが、計量装置１０２の零点調整が完了していない場合、計量装置１０２における計量値が下限重量以上、上限重量以下になったとしても定額商品内容量チェック画面３ｂに重量情報などを表示したままにするようにしてもよい。このようにすれば、定額商品の計量毎に定額商品を正確に計量することができる。なお、具体的には、次のようにラベル発行装置１００を構成すればよい。先ず、計量装置１０２に零点調整完了信号送信部を設ける。次に、零点調整機能により計量装置１０２の零点の調整が完了した場合に零点調整完了信号送信部が制御部７へ零点調整完了信号を送信するようにする。続いて、制御部７がその零点調整完了信号を受信すると、情報表示部３の非表示処理を許可するように設定しておく。
（Ｇ）
【００４０】
先の実施形態に係るラベル発行装置１００では定額商品内容量チェック画面３ｂに下限重量情報表示領域４１および上限重量情報表示領域４２が設けられ、そこに下限重量情報および上限重量情報が表示されたが、定額商品内容量チェック画面３ｂから下限重量情報表示領域４１および上限重量情報表示領域４２を排除し、操作者が手動コマンド重量チェックキーを押すと下限重量情報および上限重量情報が一時的に情報表示部３に表示されるようにしてもかまわない。なお、このような構成は、定額商品内容量チェック画面３ｂに他の多数の情報を表示しなければならない事情がある場合に有用である。
（Ｈ）
【００４１】
先の実施形態に係るラベル発行装置１００ではＲＯＭ１１に食べ頃日数情報が記憶されていたが、商品が果物などの場合、生産者によって作成された継承ラベルなどに記載されている収穫日時の情報および食べ頃日数の情報を入力できるようにラベル発行装置１００を構成しておき、起算日時を収穫日時として食べ頃日時を算出するようにしてもかまわない。なお、かかる場合、収穫日時の情報および食べ頃日数の情報は、手入力されてもよいしバーコード入力されてもよい。
【００４２】
また、かかる場合、加工日時と収穫日時との差を算出し、食べ頃日数からその差を差し引いた日数の情報を食べ頃日時の情報としてＲＯＭ１１に記憶させるようにしてもかまわない。このようにすれば、仮に継承ラベルを紛失したとしても食べ頃日時を算出することができる。
（Ｉ）
【００４３】
先の実施形態に係るラベル発行装置１００では定額商品内容量チェック画面として図４〜図６に示される定額商品内容量チェック画面３ｂが採用されたが、図１０〜図１２に示される定額商品内容量チェック画面３ｅが採用されてもかまわない。定額商品内容量チェック画面３ｅが定額商品内容量チェック画面３ｂと異なる点は、１００ｇ当たり単価情報表示領域が設けられていない点、重量情報表示領域３４、下限重量情報表示領域４１、上限重量情報表示領域４２および値段情報表示領域３６の配置が異なる点、下限重量情報表示領域４１および上限重量情報表示領域４２が広い点、重量情報表示領域３４、下限重量情報表示領域４１および上限重量情報表示領域４２の識別文字欄が赤色で表示されている点などである。
−第２実施形態−
【００４４】
本発明の第２実施形態に係るラベル発行装置は定額ラベル発行機能を除いて全て第１実施形態に係るラベル発行装置１００と同様である。よって、以下、本発明の第２実施形態に係るラベル発行装置の定額ラベル発行機能のみについて詳述する。なお、本実施形態において第１実施形態で用いられていた参照符号と同一の参照符号が使用されている場合、その参照符号が示すものは、第１実施形態で用いられていた参照符号が示すものと同一である。
（定額ラベル発行機能）
【００４５】
ラベル発行装置が起動されると、まず、図３に示されるような初期画面３ａが情報表示部３に表示される。なお、初期画面３ａについては、第１実施形態において説明した通りである。
【００４６】
次いで、操作者がこの初期画面３ａにおいて計量対象となる商品に対応する呼出番号を呼出番号情報表示領域３１に入力する。この際、その呼出番号に対応する商品が定額商品として設定されていると、図７に示されるような定額商品内容量チェック画面３ｃが情報表示部３に自動的に表示される。なお、呼出番号に対応する商品が定額商品に設定されていない場合、情報表示部３に定額商品内容量チェック画面３ｃは表示されず、通常ラベル作成画面（図示せず）が表示される。
【００４７】
この定額商品内容量チェック画面３ｃは、値段情報表示領域３６に商品の値段情報が表示されないことを除いて第１実施形態に係るラベル発行装置１００の定額商品内容量チェック画面３ｂと同一である。
【００４８】
そして、操作者が、重量情報表示領域３４の「ゼロ」表示により計量装置１０２がゼロ点にあることを確認した後、容器（風袋）などを計量装置１０２の秤量皿（図示せず）に乗せ、重量情報表示領域３４に表示される重量が下限重量以上、上限重量以下となるように容器などに商品を詰めていく（図８参照）。
【００４９】
そして、その重量が下限重量以上、上限重量以下となってから所定時間（たとえば３秒など）を経過すると、定額商品内容量チェック画面３ｃが非表示とされると共に図９に示されるような定額商品画面３ｄが情報表示部３に表示される。
【００５０】
定額商品画面３ｄは、図９に示されるように、主に、日時情報表示領域３０や、呼出番号情報表示領域３１、メイン情報表示領域３２、風袋重量情報表示領域３３、定重量情報表示領域４３、値段情報表示領域３６、加工日時情報表示領域３７、消費期限日時表示領域３８、食べ頃日時情報表示領域３９、ラベルマスタ表示領域４０、下限重量情報表示領域４１、上限重量情報表示領域４２などから構成されている。なお、定額商品画面３ｄが第１実施形態に係るラベル発行装置１００の定額商品内容量チェック画面３ｂと異なる点は、重量情報表示領域３４および１００ｇ当たり単価情報表示領域３５が存在しない点である。
そして、定額商品画面３ｄが情報表示部３に表示されてから所定時間（たとえば、１秒）を経過すると、印字機構部４が動作し、ラベル５を自動発行する。
【００５１】
なお、操作者によってラベル５が引き抜かれると、ラベル検知部がラベルの不存在を検知し、その検知信号を制御部７に送信する。そして、制御部７がその検知信号を受信すると、制御部７は、情報表示部３に対して定額商品画面３ｄを非表示とさせると共に定額商品内容量チェック画面３ｃを表示させる。
＜ラベル発行装置の特徴＞
【００５２】
本発明の第２実施形態に係るラベル発行装置では、計量装置１０２における計量値が下限重量以上、上限重量以下になってから所定時間経過後に定額商品内容量チェック画面３ｃが非表示とされると共に定額商品画面３ｄが情報表示部３に表示される。そして、定額商品画面３ｄが表示されてから所定時間を経過すると、印字機構部４が動作し、ラベル５を自動発行する。このため、このラベル発行装置では、定額ラベル発行設定がなされている場合であっても計量装置１０２の計量機能を利用することができる。したがって、このラベル発行装置では、法令順守を行いつつ装置が本来有している秤機能を有効に活用することができる。また、このラベル発行装置では、定額商品内容量チェック画面３ｃに計量に適した情報を表示し、定額商品画面３ｄに定額ラベルに適した情報を表示することができる。したがって、このラベル発行装置では、操作者の計量作業および定額ラベル発行作業の効率の向上を期待することができる。
＜変形例＞
第２実施形態に係るラベル発行装置には、第１実施形態に記載される全ての変形例が適用可能である。
【符号の説明】
【００５３】
３      情報表示部
４      印字機構部（ラベル発行部）
５      ラベル（定額ラベル）
７      制御部（情報表示制御部，ラベル発行制御部）
１１      ＲＯＭ（情報記憶部）
１００      ラベル発行装置
１０２      計量部（計量装置）
【産業上の利用可能性】
【００５４】
本発明に係るラベル発行装置は，法令順守を行いつつ装置が本来有している秤機能を有効に活用することができるという特徴を有しており、定額ラベルの発行を行う装置として特に有用である。また、本発明に係るラベル発行装置は、ストレッチ包装機にも適用可能である。
【先行技術文献】
【特許文献】
【００５５】
【特許文献１】特開昭６２−１８４３１７号公報
【図１】
2010260608.tif 000003
【図２】
2010260608.tif 000004
【図３】
2010260608.tif 000005
【図４】
2010260608.tif 000006
【図５】
2010260608.tif 000007
【図６】
2010260608.tif 000008
【図７】
2010260608.tif 000009
【図８】
2010260608.tif 000010
【図９】
2010260608.tif 000011
【図１０】
2010260608.tif 000012
【図１１】
2010260608.tif 000013
【図１２】
2010260608.tif 000014